(57)【要約】      （修正有）【課題】軽量でありながら、組み立てが容易でコンパクトに収納ができる組み立て式ベッドを提供する。【解決手段】第１連結板１１−１〜６と第２連結板１２−１〜６の連結により出来る４辺の長さが等しい菱形構造１４が生まれることにより折り畳み容易な脚部と床板２０に強化ダンボールを採用したことにより強度アップと軽量化を実現し、また連結構造によって折り畳みが自由できる構造になったことにより、容易に組み立て収納ができる、軽くてコンパクトな組み立て式ベッド。【選択図】図３
0003189242.tif 000002
【実用新案登録請求の範囲】
【請求項１】
第１連結板と第２連結板と支え板を各差込口に連結することにより、中心に４本の辺の等しい菱形構造ができることにより、折り畳むことが出来ることを特徴とする組み立て式ベッド
【請求項２】
床板は、強化構造のダンボールにより軽量化と強度アップの実現
【請求項３】
床板は、折り曲げ構造（切り込み及テープ）を有した構造
【請求項４】
請求項１、請求項２、請求項３により組み立てが容易で、軽量で丈夫なコンパクトな組み立て式ベッド
【考案の詳細な説明】
【技術分野】
【０００１】本考案は、床面と床板を支える脚部に関する
【背景技術】
【０００２】地震、噴火、洪水等の大規模災害時には、国または地方自治体は被災者を収容するために、体育館や公民館を避難所として提供している。このような場合に、睡眠時に床面に毛布などを敷いて雑魚寝することになります。その状況は、特に高齢者にとっては過酷で第二の災害に繋がる可能性があります。そこで、寝起きが簡単な簡易ベットの推進が好ましい。【０００３】このため、特許文献１においては、災害時に避難所において使用する避難所架設ベッドが提案されている。（例えば、特許文献１参照）【０００４】簡易ベッドには、高齢者用に起き上がる際に膝や腰の負担を軽減するタイプがある。（例えば、非特許文献１）
【先行技術文献】
【特許文献】
【０００５】
【特許文献１】実用新案登録第３１３７５２号（段落０００７〜０００１４  図１）
【非特許文献】
【０００６】
【非特許文献１】東京大学先端科学技術研究センター  先端研ＮＥＷＳ（組み立て簡単な段ボールベッドを開発）
【考案の概要】
【考案が解決しようとする課題】
【０００７】しかしながら、災害時の為の備蓄商品としては、重くて大きくて保管倉庫に備蓄することには適しません。また、災害時のパニック状態の時に組み立てるには大変複雑では適しません。【０００８】本考案は、このような従来の問題を解決しようとするもので、簡易ベッドをより簡単に組み立てができ、より軽く移動ができ、よりコンパクトに収納することにより災害時等に役立つ組み立て式ベッドを提供することを目的とするものである。
【課題を解決するための手段】
【０００９】本考案は、第１連結板と第２連結板と支え板を各差込口にて連結することにより、中心に４本の辺の等しい菱形構造ができることにより折り畳むことができる構造の脚部と床板の折り曲げ構造によって上記の課題を解決したものである。
【考案の効果】
【００１０】本考案は、脚部の菱形構造による折り畳みが自由に出来る構造と天板の折り曲げ構造により簡単に短時間に組み立て収納ができることによりコンパクトな梱包にもすることも出来た。【００１１】本考案は、第１連結板と第２連結板と支え板による連結構造により部品点数の削減と床板にハニカムのダンボールを採用したおかげで軽量化と強度アップが出来た。
【図面の簡単な説明】
【００１２】
【図１】組み立て式ベッドの斜視図である。
【図２】組み立て式ベッドの分解斜視図である。
【図３】組み立て式ベッドの概要図である。
【図４】第１連結板の図である。
【図５】第２連結板の図である。
【図６】支え板の図である。
【図７】床板の図である。
【図８】第１床板の図である。
【図９】第２床板の図である。
【図１０】連結用テープの図である。
【図１１】脚部を折り畳む様子の説明図である。
【図１２】第１床板を折り畳む図である。
【図１３】第２床板の折り畳む図である。
【考案を実施するための形態】
【００１３】本考案の組み立て式ベッドは、図３の概略図に示されたように、１１ー４のＡ−１と１１ー３を反対向きにしたＡ−１を連結し、１２ー２のＣー２と１２ー５を反対向きにしてＣー２を連結します。次に１１ー４のＢー１と１２ー２がＢー２を連結し、１１ー３のＢー１と１２ー５のＢー２を連結すると４辺が等しい菱形構造でき、順次第１連結板と第２連結板と連結することにより脚部の構造が出来上がる。
【００１４】脚部の土台ができたら１２ー１のＡ−２と１３のＡー３と１２ー１のＣー１と１３のＢー３を連結し、１２ー６のＡ−２と１１ー５のＣー１と１３のＢー３を連結することにより脚部が完成する。
【００１５】第１床板は、図７の床板３枚から形成されている。床板と床板を天板横幅同士で、図１０の連結用テープで連結して３枚目の床板の裏面の天板横幅同士を連結用テープで連結すれば、折り畳み可能な図１１となる。
【００１６】第２床板は、床板２枚から形成されている。２枚の床板の天板横幅同士を図１０の連結用テープにて連結すれば、折り畳み可能な図１３とまります。
【００１７】本考案は、脚部の上部に第１床板を第２床板を乗せることにより組み立て作業は完了しますが、収納についても支え板２枚を差込口より外すことにより脚部を図１１のように蛇腹状に折り畳み、また第１床板、第２床板を折り畳み構造により畳むことで、安易にコンパクトに収納も出来る構造を持つ組み立て式ベッドである。
【産業上の利用可能性】
【００１８】本考案は、臨時に設置する椅子やテーブルとしても利用可能である。
【符号の説明】
【００１９】１０枠体
１１−１第１連結板１
１１−２第１連結板２
１１−３第１連結板３
１１−４第１連結板４
１１−５第１連結板５
１１−６第１連結板６
１２−１第２連結板１
１２−２第２連結板２
１２−３第２連結板３
１２−４第２連結板４
１２−５第２連結板５
１２−６第２連結板６
１３−１第１支え板
１３−２第２支え板
１４菱形構造
２０床板
２１第１床板
２２第２床板
４１連結用テープ
Ａー１差込口
Ｂー１差込口
Ｃ−１差込口
Ａ−２差込口
Ｂ−２差込口
Ｂ−２差込口
Ｂ−２差込口
Ａ−３差込口
Ａ−３差込口
Ｗ床板横幅
Ｄ床板縦幅
【図１】
0003189242.tif 000003
【図２】
0003189242.tif 000004
【図３】
0003189242.tif 000005
【図４】
0003189242.tif 000006
【図５】
0003189242.tif 000007
【図６】
0003189242.tif 000008
【図７】
0003189242.tif 000009
【図８】
0003189242.tif 000010
【図９】
0003189242.tif 000011
【図１０】
0003189242.tif 000012
【図１１】
0003189242.tif 000013
【図１２】
0003189242.tif 000014
【図１３】
0003189242.tif 000015
【手続補正書】
【提出日】平成25年9月25日(2013.9.25)
【手続補正１】
【補正対象書類名】実用新案登録請求の範囲
【補正対象項目名】全文
【補正方法】変更
【補正の内容】
【実用新案登録請求の範囲】
【請求項１】
ダンボール材とダンボール材を組み合わせることにより、接着剤等の補助材を使用しない組み立て式ベッド。
【請求項２】
図３の（Ａ）１１の第１連結板と１２第２連結板の各差込口を連結することにより、中心に出来る４辺の長さが等しい１４菱形構造が生まれることにより、折り畳みができ、開いた時に左右の差込口に１３支え板を連結することにより１５脚部が完成し、２１．２２の床板を広げて敷くことにより、折り畳むことが出来ることを特徴とする組み立て式ベッド。
0003189242.tif 000016
【手続補正書】
【提出日】平成25年12月2日(2013.12.2)
【手続補正１】
【補正対象書類名】実用新案登録請求の範囲
【補正対象項目名】全文
【補正方法】変更
【補正の内容】
【実用新案登録請求の範囲】
【請求項１】
ダンボール材で形成される第１連結板（１１）、第２連結板（１２）、支え板（１３）、第１床板（２１）及び第２床板（２２）を組み合わせてなる組み立て式ベッドであって、前記第１連結板（１１）と前記第２連結板（１２）は差込口を有し、４辺の長さが等しい菱形構造（１４）ができるように前記第１連結板（１１）と前記第２連結板（１２）の各差込口を連結するとともに、左右の差込口に前記支え板（１３）を連結することにより脚部（１５）を形成し、前記脚部（１５）の上部に前記第１床板（２１）及び前記第２床板（２２）を乗せることを特徴とする組み立て式ベッド。
【手続補正２】
【補正対象書類名】明細書
【補正対象項目名】００１９
【補正方法】変更
【補正の内容】
【００１９】１０枠体
１１−１第１連結板１
１１−２第１連結板２
１１−３第１連結板３
１１−４第１連結板４
１１−５第１連結板５
１１−６第１連結板６
１２−１第２連結板１
１２−２第２連結板２
１２−３第２連結板３
１２−４第２連結板４
１２−５第２連結板５
１２−６第２連結板６
１３−１第１支え板
１３−２第２支え板
１４菱形構造
１５脚部
２０床板
２１第１床板
２２第２床板
４１連結用テープ
Ａ−１差込口
Ｂ−１差込口
Ｃ−１差込口
Ａ−２差込口
Ｂ−２差込口
Ｃ−２差込口
Ａ−３差込口
Ｂ−３差込口
Ｗ床板横幅
Ｄ床板縦幅